(57)【特許請求の範囲】
【請求項１】
天板の端縁部下面を取付けるための水平方向に延びる支持杆を有する左右１対の脚体を備え、前記天板の左右の側端部上面にサイドパネルを固定するための机の天板へのパネルの取付構造であって、
前記両脚体における前記支持杆の外側面には、上方と外方が開口された前後１対の凹部が形成されるとともに、前記天板における前記各凹部と対向する部分には、前記凹部と連通するスリット状の挿通孔が穿設され、前記サイドパネルにおける前記挿通孔と対向する内側面下端部には、前後１対の凹所が形成され、
前記天板の挿通孔を通して挿入した取付金具の下端部を前記支持杆の凹部内の外側面に固着し、前記天板上に突出させた前記取付金具の上端部を天板上に立設される前記サイドパネルの下端部に形成した凹所内に位置させ、前記サイドパネルの凹所内の内側面と前記取付金具とを固定手段により固定するとともに、前記サイドパネルの内側面下端部の凹所にカバーを嵌着したことを特徴とする机の天板へのパネルの取付構造。
【請求項２】
前記サイドパネルの後端面と後部パネルの左右両端部前面とのいずれか一方に、上下方向を向く長孔とそれに連続する大径のガイド孔とよりなる複数の支持孔を、かつ他方における支持孔との対向部に、前記長孔内に挿入可能な軸部の先端に前記ガイド孔に挿通可能な拡径係止部を有する係止部材をそれぞれ設け、前記拡径係止部をガイド孔に挿通させた後、軸部を長孔に係合させることにより、左右のパネルと後部パネルとを結合した請求項１に記載の机の天板へのパネルの取付構造。
【発明の詳細な説明】
【０００１】
【発明の属する技術分野】
本発明は、例えば図書館等において使用される机における天板へのパネルの取付構造に関する。
【０００２】
【従来の技術】
図書館等において使用される机の中には、天板の後部と左右両側部に目隠し用のパネルを立設したものがある。
【０００３】
このような机において天板にパネルを取付ける際は、従来、図７に略示するようにして行われているのが一般的である。すなわち、天板ａの後端部上面に立設される後部パネルｂは、その左右の下端部（左方は図示略）を支持金具ｃにより前後より挟持し、支持金具ｃのアームに設けた下向きピンを天板ａに穿設した保持孔（いずれも図示略）に嵌合することにより取付けられている。
【０００４】
一方、サイドパネルｄは、その前端部が、下面にビス止めしたコ字状の固定金具ｅを、天板ａを挟むようにしてその下面にビス止めすることにより、天板ａに固定され、サイドパネルｄの後端は、図示しないヒンジにより後部パネルｂの前面に固定されている。
【０００５】
【発明が解決しようとする課題】
上述した従来のパネルの取付構造では、保持金具ｃや固定金具ｅが外部に大きく露出しているため、外観的体裁が悪い。また、保持金具ｃをカバー等により覆ったとしても、天板上に突起感を有するので体裁上好ましくない。
【０００６】
さらに、各パネルｂ，ｄは、天板ａに直接取付けられているため、パネルの取付強度を増すために、保持金具ｃや固定金具ｅにより強固に固定する必要があり、そのため特に、後部パネルｂの取付部に特別な加工を施したり、特殊な保持金具ｃを用いたりするなど、コスト高となるばかりでなく、組付工数も多くなる。
【０００７】
本発明は、上記問題を解決するためになされたもので、パネル取付用の金具を外部に露出させることはなく、サイドパネルを脚体に強固に取付け、このサイドパネルに後部パネルを容易に取付けることができるようにした机の天板へのパネルの取付構造を提供することを目的としている。
【０００８】
【課題を解決するための手段】
上記目的を達成するために、本発明は、天板の端縁部下面を取付けるための水平方向に延びる支持杆を有する左右１対の脚体を備え、前記天板の左右の側端部上面にサイドパネルを固定するための机の天板へのパネルの取付構造であって、
前記両脚体における前記支持杆の外側面には、上方と外方が開口された前後１対の凹部が形成されるとともに、前記天板における前記各凹部と対向する部分には、前記凹部と連通するスリット状の挿通孔が穿設され、前記サイドパネルにおける前記挿通孔と対向する内側面下端部には、前後１対の凹所が形成され、
前記天板の挿通孔を通して挿入した取付金具の下端部を前記支持杆の凹部内の外側面に固着し、前記天板上に突出させた前記取付金具の上端部を天板上に立設される前記サイドパネルの下端部に形成した凹所内に位置させ、前記サイドパネルの凹所内の内側面と前記取付金具とを固定手段により固定するとともに、前記サイドパネルの内側面下端部の凹所にカバーを嵌着したことを特徴としている。
本発明のパネルの取付構造によれば、パネルを、脚体等の凹部に固着した取付金具における天板上より突出する上端部に、パネルの凹所を位置させて固定手段により固定してあるため、取付金具が大きく露出することはない。また、パネルが脚体で支持されるため、強固なパネル固定ができるばかりか、無理な力がパネルに作用しても天板が破損されることがない。
【００１１】
上記パネルの取付構造において、前記サイドパネルの後端面と後部パネルの左右両端部前面とのいずれか一方に、上下方向を向く長孔とそれに連続する大径のガイド孔とよりなる複数の支持孔を、かつ他方における支持孔との対向部に、前記長孔内に挿入可能な軸部の先端に前記ガイド孔に挿通可能な拡径係止部を有する係止部材をそれぞれ設け、前記拡径係止部をガイド孔に挿通させた後、軸部を長孔に係合させることにより、左右のパネルと後部パネルとを結合するのが好ましい。
このようにすると、左右のパネルと後部パネルとの結合を容易に行うことができる。
【００１２】
【発明の実施の形態】
以下、本発明の実施例を図面に基づいて説明する。
【００１３】
図１ないし図３は、本発明の第１実施例を示すもので、横長矩形をなす天板１の左右（以下、方向は図面についていう）の端部は、その下面に上端の支持杆２ａを固着した左右１対の脚体２，２により支持されている。３は、天板１の後端より垂下するようにし両脚体２の後端面に固着された幕板である。
【００１４】
天板１の左右の側端部上面には、サイドパネル４，４が、次のようにして固定的に立設されている。すなわち、図２に示すように、両脚体２における支持杆２ａの外側面の前後端部には、上方と外方が開口された１対の凹部５が形成されている。また、天板１における上記各凹部５と対向する部分には、凹部５と連通するスリット状の挿通孔６が穿設されている。
【００１５】
さらに、各サイドパネル４における上記挿通孔６と対向する内側面下端部には、前後１対の半円状の凹所７が、パネル４の板厚方向に向かって所定深さに形成されている。
【００１６】
サイドパネル４を天板１上に立設する際は、まず天板１の上方より、縦長板状の取付金具８を、各挿通孔７を通して脚体２の支持杆２ａの各凹部５内に挿入する。次いで、取付金具８の下端部を、凹部５の外方より挿入した複数のビス９により支持杆２ａに固定する。
【００１７】
次いで、取付金具８における天板１上よりの突出端部に、サイドパネル４の各凹所７の奥面を押し当て、内方より挿入したビス１０をパネル４に向かって螺挿すれば、サイドパネル４の前後両端部が取付金具８に強固に固定されて天板１上に立設される。
【００１８】
最後に、支持杆２ａの凹部５及びサイドパネル４の凹所７に、それぞれカバー１１，１２を嵌着すれば、取付金具８やビス９，１０等が目隠しされ、外観的体裁を向上させることができる。また、後部パネル１３は、次のようにして天板１上に立設されている。
【００１９】
図３及び図４に示すように、サイドパネル４の後端面の上下部に形成した凹部１４内に、前向きコ字状の支持部１５ａを有する上下１対の支持金具１５の上下の取付片１５ｂをねじ止めし、支持部１５ａには、上下方向を向く小幅な長孔１６ａとその下端に連続する大径のガイド孔１６ｂとからなる支持孔１６を形成しておく。
【００２０】
一方、後部パネル１３の左右の側端部前面における上記支持孔１６と対向する位置には、上記長孔１６ａより若干小径の軸部１７ａの先端（前端）に、支持孔１６内に挿通可能な拡径係止部１７ｂを有する係止ねじ１７を螺着しておく。
【００２１】
サイドパネル４に後部パネル１３を取付ける際は、サイドパネル４を取付金具８に固定するにおいて、支持金具１５の支持孔１６のガイド孔１６ｂ内に、後部パネル１３の係止ねじ１７の拡径係止部１７ｂを挿入したのち、サイドパネル４を押し下げて、長孔１６ａ内に係止ねじ１７の軸部１７ａを係合させれば、拡径係止部１７ｂにより抜け止めされる。この押し下げ時において、サイドパネル４及び後部パネル１３の下端が天板１の上面と当接するように、それらの上下の寸法を設定してある。従って、両パネル４，１３の取付後においてそれらの係合が外れる恐れはない。
【００２２】
なお、上記支持金具１５及び係止ねじ１７を、実施例とは反対に、サイドパネル４側に係止ねじ１７を、後部パネル１３側に支持金具１５をそれぞれ取付けてもよい。この際には、サイドパネル４を固定した後、後部パネル１３をサイドパネル４に取付けることができる。
【００２３】
次に、本発明の第２実施例を、図５及び図６を参照して説明する。
【００２４】
この実施例では、サイドパネル４における天板１の挿通孔６と対向する下端部に、下方が開口するスリット状の上向きの凹溝１８を形成するとともに、この凹溝１８に連通するボルト挿入孔１９を、サイドパネル４の内側面に左右方向を向いて形成してある。
【００２５】
サイドパネル４を取付ける際は、まず上述した第１実施例と同様、中間部を若干外方に折曲した取付金具８を、天板１の上方より挿通孔６に挿入し、その下端部を支持杆２ａの凹部５内にビス９により固定する。
【００２６】
次いで、取付金具８の上端部に、サイドパネル４の凹溝１８を上方より嵌挿し、サイドパネル４の下端を天板１の上面に当接させたのち、ボルト挿入孔１９より挿入した取付ボルト２０を、取付金具８に穿設した雌ねじ孔２１に螺挿する。
【００２７】
これにより、サイドパネル４の前後両端部が取付金具８に強固に固定されて天板１上に立設される。なお、後部パネル１３は、上記第１実施例と同じ手段により、サイドパネル４の後端に取付けられている。
【００２８】
この第２実施例によると、サイドパネル４より露出するのは取付ボルト２０の頭部のみであるため、第１実施例のようなカバー１２は不要となり、支持杆２ａの凹部５にのみカバー１１を取付ければよい。
【００２９】
以上説明したように、本発明のパネルの取付構造においては、サイドパネル４を、脚体２の支持杆２ａに天板１を挿通して固着した取付金具８に取付けているため、取付金具８が外部に大きく露出することはなく、外観的体裁が向上する。
【００３０】
また、サイドパネル４は脚体２により強固に支持されるので、後部パネル１３を、サイドパネル４の後端に上記実施例のような手段により単に結合するだけでも十分な取付強度を有し、従来のように、後部パネル１３に特別な加工を施したり、特殊な保持金具等を用いたりする必要はなく、コスト低減が図れる。
【００３１】
本発明は、上記実施例に限定されるものではなく、種々の実施例形態をとり得る。例えば、上記実施例では、サイドパネル４と後部パネル１３とを有する机に適用した例を説明したが、例えば後部パネル１３のみを有する机においては、サイドパネル４と同様の方法により後部パネル１３を取付けることができる。
【００３２】
サイドパネル４と後部パネル１３との結合に、支持金具１５を用いてこれに支持孔１６を形成しているが、このような支持金具１５を省略して、支持孔１６をサイドパネル４の後端面（後部パネル側に設けるときには、その前面）に直接、又は後端面に設けたフレーム材に形成してもよい。
【００３３】
【発明の効果】
本発明によれば、次のような効果が得られる。
【００３４】
（ａ）請求項１の発明によれば、パネルの取付金具が天板やパネルより大きく露出することがなくなるので、外観的体裁が向上する。また、パネルを脚体により強固に支持することができる。
【００３７】
（ｂ）請求項２の発明によれば、左右のパネルと後部パネルとの結合を容易に行うことができる。
【００３８】
【図面の簡単な説明】
【図１】本発明の第１実施例を適用した机の斜視図である。
【図２】図１のＡ−Ａ線の拡大縦断正面図である。
【図３】図１のＢ−Ｂ線の拡大縦断側面図である。
【図４】サイドパネルと後部パネルとの取付部材を示す斜視図である。
【図５】本発明の第２実施例を適用した机の一部を示す斜視図である。
【図６】図５のＣ−Ｃ線の拡大縦断正面図である。
【図７】従来のパネルの取付構造を示す机の一部の斜視図である。
【符号の説明】
１          天板
２          脚体
２ａ        支持杆
３          幕板
４          サイドパネル
５          凹部
６          挿通孔
７          凹所
８          取付金具
９，１０    ビス
１１，１２  カバー
１３          後部パネル
１４          凹部
１５          支持金具
１５ａ        支持部
１５ｂ        取付片
１６          取付孔
１６ａ        長孔
１６ｂ        ガイド孔
１７          係止ねじ（係止部材）
１７ａ        軸部
１７ｂ        拡径係止部
１８          凹溝
１９          ボルト挿入孔
２０          取付ボルト
２１          雌ねじ孔
【図１】
0004023901.tif 000002
【図２】
0004023901.tif 000003
【図３】
0004023901.tif 000004
【図４】
0004023901.tif 000005
【図５】
0004023901.tif 000006
【図６】
0004023901.tif 000007
【図７】
0004023901.tif 000008